(57)【要約】【課題】  本発明の目的は、項目の設定をする際に表示する項目の視認性を向上させることである。【解決手段】  第１の階層に含まれる複数の項目からいずれかを選択する第１の選択手段と、第１の階層の項目を選択したことにより選択可能になる第２の階層の項目からいずれかを選択する第２の選択手段と、第１の階層に含まれる複数の項目を第１の方向に沿って表示し、第２の階層に含まれる項目を第１の方向に沿って第１の表示部に表示するように制御する表示制御手段と、第１の選択手段によって第１の階層に含まれる項目のいずれかが選択されても、第１の階層の項目を移動せず、第２の選択手段が第２の階層に含まれる項目のいずれかを選択したことに応じて、選択された前記第２の階層の項目を、対応する前記第１の階層の項目の表示位置の第１の方向の位置に対応する位置に表示するように制御する制御手段とを有することを特徴とする。【選択図】  図６
2019028803.tif 000002
【特許請求の範囲】
【請求項１】
第１の階層に含まれる複数の項目からいずれかを選択する第１の選択手段と、
前記第１の階層の項目を選択したことにより選択可能になる第２の階層の項目からいずれかを選択する第２の選択手段と、
前記第１の階層に含まれる前記複数の項目を第１の方向に沿って表示し、前記第２の階層に含まれる項目を前記第１の方向に沿って第１の表示部に表示するように制御する表示制御手段と、
前記第１の選択手段によって前記第１の階層に含まれる項目のいずれかが選択されても、前記第１の階層の項目を移動せず、前記第２の選択手段が前記第２の階層に含まれる項目のいずれかを選択したことに応じて、選択された前記第２の階層の項目を、対応する前記第１の階層の項目の表示位置の前記第１の方向の位置に対応する位置に表示するように制御する制御手段とを有することを特徴とする電子機器。
【請求項２】
前記第２の階層に含まれる項目のうち、前記第２の選択手段により選択された項目の表示される位置は、前記第２の階層の項目に対応する前記第１の階層の項目の表示位置に応じて異なることを特徴とする請求項１に記載の電子機器。
【請求項３】
前記第２の階層の項目が子項目である場合に、前記第２の階層の項目に対応する前記第１の階層の項目とは、子項目の親の項目であることを特徴とする請求項１または２に記載の電子機器。
【請求項４】
前記第２の階層の項目に対応する前記第１の階層の項目は、前記第１の階層において選択されている項目を示すことを特徴とする請求項１乃至３のいずれか１項に記載の電子機器。
【請求項５】
前記制御手段は、前記第１の階層には、第１の項目と第２の項目とが含まれており、前記第１の項目が選択された後、前記第２の選択手段により前記第１の項目に関する前記第２の階層の項目が選択されたことに応じて、選択された前記第２の階層の項目を第１の位置に表示し、前記第２の項目が選択された後、前記第２の選択手段により前記第２の項目に関する前記第２の階層の項目が選択されたことに応じて、選択された前記第２の階層の項目を第２の位置に表示するように制御することを特徴とする請求項１乃至４のいずれか１項に記載の電子機器。
【請求項６】
前記第１の選択手段が前記第１の階層に含まれる項目のいずれかを選択したことに応じて、前記第１の階層の選択された項目にカーソルを表示することを特徴とする請求項１乃至５のいずれか１項に記載の電子機器。
【請求項７】
前記第１の階層の項目の表示位置に対応する位置は、前記第１の階層において前記第１の選択手段により選択されている項目からみて前記第１の方向とは異なる第２の方向にある位置であることを特徴とする請求項１乃至６のいずれか１項に記載の電子機器。
【請求項８】
前記第１の階層に含まれる前記複数の項目と前記第２の階層に含まれる複数の項目とは、並んだ領域に表示されることを特徴とする請求項１乃至７のいずれか１項に記載の電子機器。
【請求項９】
前記第１の階層に含まれる項目の全てが、前記第１の表示部に表示されており、前記第２の階層に含まれる項目は一部が前記第１の表示部に表示されないことがあることを特徴とする請求項１乃至８のいずれか１項に記載の電子機器。
【請求項１０】
前記第１の表示部において、前記第１の階層に含まれる項目は予め定められており、前記第２の階層に含まれる項目は、前記第１の選択手段の選択する項目に応じて変わることを特徴とする請求項１乃至９のいずれか１項に記載の電子機器。
【請求項１１】
前記第１の選択手段と、前記第２の選択手段の位置関係は、前記第１の階層の項目が表示される領域と前記第２の階層の項目が表示される領域の位置関係と同じであることを特徴とする請求項１乃至１０のいずれか１項に記載の電子機器。
【請求項１２】
前記第１の階層に含まれる項目と前記第２の階層に含まれる項目は、前記第１の表示部とは異なる第２の表示部にも表示可能であり、前記第２の表示部においては、前記第１の階層の選択された項目は第３の位置に表示され、前記第２の階層の選択された項目は第４の位置に表示されることを特徴とする請求項１乃至１１のいずれか１項に記載の電子機器。
【請求項１３】
前記第２の表示部は前記第１の表示部よりも小さい領域であることを特徴とする請求項１２に記載の電子機器。
【請求項１４】
第１の階層に含まれる複数の項目からいずれかを選択する第１の選択手段と、
前記第１の階層の項目を選択したことにより選択可能になる第２の階層の項目からいずれかを選択する第２の選択手段と、
前記第１の階層に含まれる前記複数の項目を第１の方向に沿って表示し、前記第２の階層に含まれる項目を前記第１の方向に沿って第１の表示部と第２の表示部とに表示するように制御する表示制御手段と、
前記第１の表示部においては、前記第１の選択手段の選択した項目の位置に応じて、前記第２の選択手段の選択した項目の表示される位置が変わり、
前記第２の表示部においては、前記第１の選択手段の選択した項目の位置によらずに、前記第２の選択手段の選択した項目の表示される位置は所定の位置となるように制御する制御手段とを有することを特徴とする電子機器。
【請求項１５】
前記第１の表示部には、撮影画像が表示されることを特徴とする請求項１乃至１４のいずれか１項に記載の電子機器。
【請求項１６】
前記撮影画像は、再生画像またはライブビュー画像であり、前記第１の表示部においては、前記撮影画像と重畳して項目が表示されることを特徴とする請求項１５に記載の電子機器。
【請求項１７】
第１の階層に含まれる複数の項目からいずれかを選択する第１の選択ステップと、
前記第１の階層の項目を選択したことにより選択可能になる第２の階層の項目からいずれかを選択する第２の選択ステップと、
前記第１の階層に含まれる前記複数の項目を第１の方向に沿って表示し、前記第２の階層に含まれる項目を前記第１の方向に沿って第１の表示部に表示するように制御する表示制御ステップと、
前記第１の選択手段によって前記第１の階層に含まれる項目のいずれかが選択されても、前記第１の階層の項目を移動せず、前記第２の選択手段が前記第２の階層に含まれる項目のいずれかを選択したことに応じて、選択された前記第２の階層の項目を、対応する前記第１の階層の項目の表示位置の前記第１の方向の位置に対応する位置に表示するように制御する制御ステップとを有することを特徴とする電子機器の制御方法。
【請求項１８】
第１の階層に含まれる複数の項目からいずれかを選択する第１の選択ステップと、
前記第１の階層の項目を選択したことにより選択可能になる第２の階層の項目からいずれかを選択する第２の選択ステップと、
前記第１の階層に含まれる前記複数の項目を第１の方向に沿って表示し、前記第２の階層に含まれる項目を前記第１の方向に沿って第１の表示部と第２の表示部とに表示するように制御する表示制御ステップと、
前記第１の表示部においては、前記第１の選択手段の選択した項目の位置に応じて、前記第２の選択手段の選択した項目の表示される位置が変わり、
前記第２の表示部においては、前記第１の選択手段の選択した項目の位置によらずに、前記第２の選択手段の選択した項目の表示される位置は所定の位置となるように制御する制御ステップとを有することを特徴とする電子機器の制御方法。
【請求項１９】
コンピュータを、請求項１乃至１６のいずれか１項に記載された電子機器の各手段として機能させるためのプログラム。
【請求項２０】
コンピュータを、請求項１乃至１６のいずれか１項に記載された電子機器の各手段として機能させるためのプログラムを格納したコンピュータが読み取り可能な記録媒体。
【発明の詳細な説明】
【技術分野】
【０００１】
本発明は、設定画面を表示可能な電子機器およびその制御方法に関する。
【背景技術】
【０００２】
選択された設定値を表示する位置を所定の位置に固定する方法がある。特許文献１では、設定項目の一覧と設定値の一覧とが並んだ領域に表示されている。さらに特許文献１では、設定項目の中から選択された項目がセンターの位置に表示され、選択された項目に関して選択可能な設定値の候補のうち、選択された設定値もセンターの位置に表示されることが開示されている。
【先行技術文献】
【特許文献】
【０００３】
【特許文献１】特開２０１１−１５９１６６号公報
【発明の概要】
【発明が解決しようとする課題】
【０００４】
特許文献１の方法では、選択された項目がセンターの位置に表示されるため、選択された項目の位置によっては、表示される項目の数が多いと列の端にある項目が表示画面から出てしまう可能性がある。特許文献１の方法では、設定操作を行う際に、選択可能な項目の一覧が見えなくなり、ユーザが設定中の項目の他の項目を見ながら設定をできなくなる可能性がある。そこで、項目の表示位置を変更しないようにすると、選択された設定値がセンターの位置に表示されるため、選択された設定値がセンターの位置の付近の項目の設定値であるとユーザが認識してしまう可能性がある。本発明は、上記の課題に鑑み、項目の設定をする際に表示する項目の視認性を向上させることのできる電子機器の提供を目的とする。
【課題を解決するための手段】
【０００５】
上記目的を達成するために、本発明の電子機器は、第１の階層に含まれる複数の項目からいずれかを選択する第１の選択手段と、前記第１の階層の項目を選択したことにより選択可能になる第２の階層の項目からいずれかを選択する第２の選択手段と、前記第１の階層に含まれる前記複数の項目を第１の方向に沿って表示し、前記第２の階層に含まれる項目を前記第１の方向に沿って第１の表示部に表示するように制御する表示制御手段と、前記第１の選択手段によって前記第１の階層に含まれる項目のいずれかが選択されても、前記第１の階層の項目を移動せず、前記第２の選択手段が前記第２の階層に含まれる項目のいずれかを選択したことに応じて、選択された前記第２の階層の項目を、対応する前記第１の階層の項目の表示位置の前記第１の方向の位置に対応する位置に表示するように制御する制御手段とを有することを特徴とする。
【発明の効果】
【０００６】
本発明によれば、項目の設定をする際に表示する項目の視認性を向上させることができる。
【図面の簡単な説明】
【０００７】
【図１】本実施形態の構成を適用可能な装置の一例としてのデジタルカメラの外観図
【図２】本実施形態の構成を適用可能な装置の一例としてのデジタルカメラの構成例を示すブロック図
【図３】本実施形態における設定画面の表示例
【図４】本実施形態における設定できない項目がある場合の設定画面の表示例
【図５】本実施形態における撮影画面表示処理のフローチャート
【図６】本実施形態における設定画面表示処理のフローチャート
【図７】本実施形態における設定値変更処理のフローチャート
【図８】本実施形態におけるカスタマイズ画面の表示例
【図９】本実施形態におけるその他の表示例
【発明を実施するための形態】
【０００８】
以下、図面を参照して本発明の好適な実施形態を説明する。図１に本発明を適用可能な電子機器の一実施形態としてのデジタルカメラ１００の外観図を示す。図１はデジタルカメラ１００の背面斜視図である。
【０００９】
図１において、表示部２８は画像や各種情報を表示する表示部であり、タッチパネル７０ａと一体となっている。レンズ部はデジタルカメラ１００の正面にある。シャッターボタン６１は撮影指示を行うための操作部である。モード切替スイッチ６０は各種モードを切り替えるための操作部である。メイン電子ダイヤル７１、サブ電子ダイヤル７２は回転操作部材であり、選択する項目の移動や、設定値の変更をするための回転部材である。メイン電子ダイヤル７１はデジタルカメラ１００の上面のＹ軸方向の真ん中あたりにあり、背面からみると右側にある。サブ電子ダイヤル７２は、デジタルカメラ１００の背面と上面の間にある。メイン電子ダイヤル７１は、Ｙ軸方向に横長である上面のＹ軸方向に沿って指を動かすことで回転可能であるので、カメラを保持した状態では人差し指で操作しやすい位置にある。サブ電子ダイヤル７２は背面に沿って指を動かすことで回転可能であるので、カメラを保持した状態では、親指で操作しやすい位置にある。よって、メイン電子ダイヤルはサブ電子ダイヤルよりも、カメラを保持するユーザから見ると上側、または奥側にある。
【００１０】
電源スイッチ８１はデジタルカメラ１００の電源のＯＮ及びＯＦＦを切り替える操作部材である。十字キー７４は上、下、左、右部分をそれぞれ押し込み可能な４方向キーである。Ｆｎボタン８５（ファンクションボタン）は、回転部材への操作に応じて設定値の変更が可能な複数の項目を含むマルチ設定画面の表示と非表示とを切り替えるための画面である。
【００１１】
上面表示部２９は、デジタルカメラ１００の上面にある表示部であり、表示部２８に比べると表示領域は小さい。ファインダ内表示部５８はファインダ１６を介して視認するため、ユーザが表示をみたときには、ファインダ内表示部５８の方が上面表示部５８よりも大きい。
【００１２】
また、解像度は表示部２８やファインダ内表示部５８の方が上面表示部２９よりも高い。表示部２８やファインダ内表示部５８にはＬＶ画像を表示可能であるが、上面表示部２９はＬＶ画像を表示できるほど解像度が高くない。表示部２８の横幅が８ｃｍや９ｃｍ程度であるとすると上面表示部２９の横幅は１．５ｃｍや２ｃｍ程度の大きさである。
【００１３】
十字キー７４の押された部分に応じた操作が可能である。ＳＥＴボタン７５は、主に選択項目の決定などに用いられる押しボタンである。シャッターボタン６１、メイン電子ダイヤル７１、サブ電子ダイヤル７２、電源スイッチ８１、十字キー７４、ＳＥＴボタン７５、タッチパネル７０ａは操作部７０に含まれる。
【００１４】
ファインダ１６は、覗き込むことでファインダ内表示部５８を視認可能なファインダである。ファインダ内表示部５８と表示部２８とは、ファインダ１６への物体の接近検知もしくはボタン操作等により表示の切り替えが可能である。ファインダ１６への物体の接近の検知は接近センサー７５により行うことができる。接近センサー７５はファインダ１６への物体の接近、例えば２ｃｍや３ｃｍといった距離に物体が近づいたこと、もしくは離れたことを検知可能である。
【００１５】
記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となり、記録や再生が可能となる。蓋２０２は記録媒体スロット２０１の蓋である。図においては、蓋２０２を開けてスロット２０１から記録媒体２００の一部を取り出して露出させた状態を示している。
【００１６】
図２は、本実施形態によるデジタルカメラ１００の構成例を示すブロック図である。図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、撮像部２２から出力されるアナログ信号をデジタル信号に変換するために用いられる。
【００１７】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。Ａ／Ｄ変換器２３からの出力データは、画像処理部２４及びメモリ制御部１５を介して、或いは、画像処理部２４を介さずメモリ制御部１５を介してメモリ３２に直接書き込まれる。
【００１８】
メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８またはファインダ内表示部５８により表示される。表示部２８、ファインダ内表示部５８は、ＬＣＤ等の表示器上に、Ｄ／Ａ変換器１３からのアナログ信号に応じた表示を行う。Ａ／Ｄ変換器２３による一度Ａ／Ｄ変換されメモリ３２に蓄積されたデジタル信号をＤ／Ａ変換器１３においてアナログ変換し、表示部２８、ファインダ内表示部５８に逐次転送して表示することで、電子ビューファインダとして機能する。このように、スルー画像表示（ライブビュー表示）を行うことができる。また、上面表示部２９はＬＶ画像の表示はできないが、設定された項目を示すアイテムや、設定値の候補を表示することができる。
【００１９】
不揮発性メモリ５６は、システム制御部５０によって電気的に消去・記録・読出し可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００２０】
システム制御部５０は、少なくとも１つのプロセッサーを内蔵し、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。モード切替スイッチ６０、シャッターボタン６１、操作部７０はシステム制御部５０に各種の動作指示を入力するための操作手段である。
【００２１】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切替スイッチ６０で、メニュー画面に含まれるこれらのモードのいずれかに直接切り替えられる。あるいは、モード切替スイッチ６０でメニュー画面に一旦切り換えた後に、メニュー画面に含まれるこれらのモードのいずれかに、他の操作部材を用いて切り替えるようにしてもよい。同様に、動画撮影モードにも複数のモードが含まれていてもよい。
【００２２】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２による静止画撮像動作、撮像部２２からの信号読み出しから記録媒体２００に画像データを書き込むまでの一連の撮影処理の動作を開始する。
【００２３】
操作部７０の各操作部材は、表示部２８、ファインダ内表示部５８、上面表示部２９に表示される種々の機能アイコンを選択操作することなどにより、場面ごとに適宜機能が割り当てられ、各種機能ボタンとして作用する。機能ボタンとしては、例えば終了ボタン、戻るボタン、選択切り替えボタン、設定値切り替えボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。後述する設定画面（マルチ設定画面）においては、サブ電子ダイヤル７２の回転操作で親階層である設定変更する項目を切り替え、メイン電子ダイヤル７１への回転操作で子階層である設定値の切り替えがされる。ＬＶ画面が表示されている際に、ＬＶ画像に重畳してＦｎボタン８５はマルチ設定画面を表示可能なボタンである。マルチ設定画面として表示される複数の項目は、ユーザに予め選択、設定された項目である。
【００２４】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影時に画像を記録するためのメモリカード等の不揮発性の記録媒体であり、半導体メモリや光ディスク、磁気ディスク等から構成される。電源スイッチ８１はデジタルカメラ１００の電源のＯＮとＯＦＦとを切り替えるためのスイッチである。
【００２５】
通信部５４は、無線または有線ケーブルによって外部機器やネットワークと接続し、映像信号や音声信号等の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００２６】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録することが可能である。姿勢検知部５５としては、加速度センサーやジャイロセンサーなどを用いることができる。接近センサー７５は、ファインダ１６への物体の接近を検知するためのセンサーである。
【００２７】
なお操作部７０の一つとして、表示部２８に対する接触を検知可能なタッチパネル７０ａを有する。タッチパネル７０ａと表示部２８とは一体的に構成することができる。例えば、タッチパネル７０ａを光の透過率が表示部２８の表示を妨げないように構成し、表示部２８の表示面の上層に取り付ける。そして、タッチパネルにおける入力座標と、表示部２８上の表示座標とを対応付ける。これにより、恰もユーザが表示部２８上に表示された画面を直接的に操作可能であるかのようなＧＵＩ（グラフィカルユーザーインターフェース）を構成することができる。システム制御部５０はタッチパネル７０ａへの以下の操作、あるいは状態を検出できる。
・タッチパネルにタッチしていなかった指やペンが新たにタッチパネルにタッチしたこと。すなわち、タッチの開始（以下、タッチダウン（Ｔｏｕｃｈ−Ｄｏｗｎ）と称する）。
・タッチパネルを指やペンでタッチしている状態であること（以下、タッチオン（Ｔｏｕｃｈ−Ｏｎ）と称する）。
・タッチパネルを指やペンでタッチしたまま移動していること（以下、タッチムーブ（Ｔｏｕｃｈ−Ｍｏｖｅ）と称する）。
・タッチパネルへタッチしていた指やペンを離したこと。すなわち、タッチの終了（以下、タッチアップ（Ｔｏｕｃｈ−Ｕｐ）と称する）。
・タッチパネルに何もタッチしていない状態（以下、タッチオフ（Ｔｏｕｃｈ−Ｏｆｆ）と称する）。
【００２８】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００２９】
これらの操作・状態や、タッチパネル上に指やペンがタッチしている位置座標は内部バスを通じてシステム制御部５０に通知され、システム制御部５０は通知された情報に基づいてタッチパネル上にどのような操作が行なわれたかを判定する。タッチムーブについてはタッチパネル上で移動する指やペンの移動方向についても、位置座標の変化に基づいて、タッチパネル上の垂直成分・水平成分毎に判定できる。またタッチパネル上をタッチダウンから一定のタッチムーブを経てタッチアップをしたとき、ストロークを描いたこととする。素早くストロークを描く操作をフリックと呼ぶ。フリックは、タッチパネル上に指をタッチしたままある程度の距離だけ素早く動かして、そのまま離すといった操作であり、言い換えればタッチパネル上を指ではじくように素早くなぞる操作である。所定距離以上を、所定速度以上でタッチムーブしたことが検出され、そのままタッチアップが検出されるとフリックが行なわれたと判定できる。また、所定距離以上を、所定速度未満でタッチムーブしたことが検出された場合はドラッグが行なわれたと判定するものとする。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式ものがあるが、いずれの方式でもよい。
【００３０】
次に、図５を用いて本実施形態における撮影画面表示処理について説明する。図５は、本実施形態において撮影画面を表示する撮影モードにおける処理を説明するためのフローチャートである。この処理は、不揮発性メモリ５６に記録されたプログラムをシステムメモリ５２に展開してシステム制御部５０が実行することで実現する。なお、この処理は、デジタルカメラ１００に電源が入り撮影モードにすると開始する。
【００３１】
Ｓ５０１では、システム制御部５０は、表示部２８にＬＶ画像（ライブビュー画像、撮影画像）を表示する。図３（ａ）のＬＶ画像３０１に示すように表示部２８にＬＶ画像を表示する。
【００３２】
Ｓ５０２では、システム制御部５０は、撮影指示がされたか否かを判定する。撮影指示がされたと判定した場合は、Ｓ５０３へ進み、そうでない場合は、Ｓ５０４へ進む。撮影指示はシャッターボタン６１の押下により行うことができる。
【００３３】
Ｓ５０３では、システム制御部５０は、撮影を行う。撮影は撮像部２２により撮像画像を取得し、記録媒体２００へと記録する。このとき、現在設定されている撮影の設定値での撮影が行われる。例えば、後述する設定画面において、ＩＳＯ感度を変更すると変更された値での撮影が行われる。
【００３４】
Ｓ５０４では、システム制御部５０は、撮影画面表示処理を終了するか否かを判定する。撮影画面表示処理を終了すると判定した場合は、撮影画面表示処理を終了し、そうでない場合は、Ｓ５０５へ進む。撮影画面表示処理は、デジタルカメラ１００の電源のＯＦＦ、再生画面への移行、メニュー画面への移行により終了する。
【００３５】
Ｓ５０５では、システム制御部５０は、Ｆｎボタン８５が押下されたか否かを判定する。Ｆｎボタン８５が押下されたと判定した場合は、Ｓ５０６へ進み、そうでない場合は、Ｓ５０２へ戻る。
【００３６】
Ｓ５０６では、システム制御部５０は、設定画面の表示処理を行う。設定画面の表示処理については、図６を用いて後述する。ＬＶ画像が表示されている際にＦｎボタン８５が押下されると、設定画面がＬＶ画像に重畳して表示される。
【００３７】
Ｓ５０７では、システム制御部５０は、ＬＶ画像を表示する出力先を変更する操作がされたか否かを判定する。ＬＶ画像を表示する出力先を変更する操作がされたと判定した場合は、Ｓ５０８へ進み、そうでない場合は、Ｓ５０９へ進む。出力先の変更とは、表示部２８とファインダ内表示部５８とで切り替えるものであり、上述したように接近センサー７５によるファインダ１６への物体の接近がされた場合には、表示部２８からファインダ内表示部５８へと表示を切り替える。ＬＶ画像がファインダ内表示部５８に表示されている場合に、物体がファインダ１６から離れたことを接近センサー７５が検知すると、表示部２８へと表示を切り替える。また、表示先切り替えボタン（操作部７０に含まれるボタン）が押下されても、表示部２８とファインダ内表示部５８とでＬＶ画像の表示先が切り替わる。
【００３８】
Ｓ５０８では、システム制御部５０は、出力先を切り替える。
【００３９】
Ｓ５０９では、システム制御部５０は、ダイヤル操作がされたか否かを判定する。ダイヤル操作とは、メイン電子ダイヤル７１またはサブ電子ダイヤル７２とへの操作である。ダイヤル操作がされたと判定した場合は、Ｓ５１０へ進み、そうでない場合は、Ｓ５１１へと進む。
【００４０】
Ｓ５１０では、システム制御部５０は、設定変更処理を行う。設定変更処理は、複数の設定項目の表示される設定画面において、設定変更する項目を選択し、さらに選択した項目の設定値を変更する処理である。設定変更処理は、図７を用いて後述する。
【００４１】
Ｓ５１１では、システム制御部５０は、Ｆｎボタン８５が押下されたか否かを判定する。Ｆｎボタン８５が押下されたと判定した場合は、Ｓ５１２へ進み、そうでない場合は、Ｓ５０７へ戻る。設定画面が表示されている際にＦｎボタン８５が押下されると、設定画面が非表示になる。
【００４２】
Ｓ５１２では、システム制御部５０は、設定画面の表示を終了し、Ｓ５０１へ進む。設定画面の表示が終了すると、表示部２８にはＬＶ画像が表示された状態になる。
【００４３】
次に、図６を用いて、設定画面表示処理について説明する。この処理は、不揮発性メモリ５６に記録されたプログラムをシステムメモリ５２に展開してシステム制御部５０が実行することで実現する。設定画面表示処理は、図５のＳ５０６へ進むと開始される。後述の実施形態では、表示部２８と上面表示部２９とへ表示する例を説明するが、表示部２８の代わりにファインダ内表示部５８へと表示をしてもよい。
【００４４】
Ｓ６０１では、システム制御部５０は、出力先を上面表示部２９と表示部２８（またはファインダ内表示部５８）へと設定する。
【００４５】
Ｓ６０２では、システム制御部５０は、選択されている設定項目（Ｄ＝Ｍ）が有効であるか否かを判定する。選択されている設定項目は、システムメモリ５２に記録されている。システム制御部５０は、選択されている設定項目はデジタルカメラ１００の電源を切った際に不揮発性メモリ５６に書き込みを行い、デジタルカメラ１００の電源を入れた際に不揮発性メモリ５６からシステムメモリ５２へ読み込む。選択されている設定項目とは、最後に設定画面が表示された際に、ユーザに選択されていた設定項目である。なお、まだユーザが設定項目の選択を行っていない場合には、表示順が１番端の項目など、所定の順番の項目を選択されている項目とする。図３（ａ）〜（ｇ）は、設定画面の表示例を示したものであり、図３（ａ）、（ｃ）、（ｅ）、（ｇ）は、表示部２８（もしくはファインダ内表示部５８）の表示例、図３（ｂ）、（ｄ）、（ｆ）は、上面表示部２９の表示例を示している。図３（ａ）の設定画面３００（親項目群３０２と子項目群３０３）に示すように、親項目群３０２には設定変更可能な設定項目、子項目群３０３には選択されている設定項目の設定値の候補を示している。親項目群３０２と子項目群３０３とはＸ軸に沿って平行であり、各設定項目と設定値を示すアイテムが平行に並んで表示されている。選択されている設定項目がない場合には、いずれかの設定項目を選択する。図３（ａ）の表示例では、アイテム３０９〜３１３の示す設定項目５つのうち、現在選択されている設定項目（アイテム３１０）が有効であるか否かを判定する。なお、アイテム３０９は、ＩＳＯ感度、アイテム３１０はドライブモード、アイテム３１１はホワイトバランス、アイテム３１２はフォーカス設定、アイテム３１３は調光補正の設定項目を示す。選択されている設定項目が設定変更可能な項目、もしくは設定変更できないがいずれかの設定値に設定されている場合には、有効であると判定する。一方で、設定変更ができず、かつ、いずれの設定値にも設定されていない場合には無効であると判定する。選択されている設定項目がピクチャスタイルであり、かつ画像処理として広域のダイナミックレンジの記録方式が設定されている場合には、ピクチャスタイルの設定自体が無効なためＳ６０２の判定はＮｏとなる。設定が無効となる例としては、以下のものがある。動画モードの場合には、静止画撮影ができないため、ドライブモード自体の設定が無効になる。流し撮り撮影が設定されている場合には、ドライブモードの設定が無効となる。このように、モードや設定に応じて無効となる設定項目がある。なお、本実施形態では選択されている設定項目をＤ、設定項目Ｄとして選択されている設定項目をＭとする。Ｍには、ホワイトバランスやＩＳＯ感度、ドライブモード等の設定項目が割りあたる。選択されている設定項目が有効であると判定した場合は、Ｓ６０６へ進み、そうでない場合は、Ｓ６０３へ進む。
【００４６】
Ｓ６０３では、システム制御部５０は、設定項目の中に有効な設定項目があるか否かを判定する。有効な設定項目があると判定した場合は、Ｓ６０４へ進み、そうでない場合は、Ｓ６０５へと進む。
【００４７】
Ｓ６０４では、システム制御部５０は、選択される設定項目Ｄ＝Ｍを変更する。つまり、設定画面に含まれる複数の設定項目のうち、他の設定項目を選択されているアイテムとして処理を進める。例えば、アイテム３０９〜３１３の設定項目のうち、もともとアイテム３０９の設定項目（ＩＳＯ感度）が選択されており、かつＳ６０２の判定がＮｏの場合には、選択中の設定項目をアイテム３１０の設定項目（ドライブモード）にする。
【００４８】
Ｓ６０５では、システム制御部５０は、有効な設定項目がなく設定項目の設定変更ができないので、警告を表示する。図３（ｇ）のガイド３２６は警告を示しており、Ｆｎボタン８５の押下に応じて表示される、設定変更可能な設定項目がないことを示している。
【００４９】
Ｓ６０６では、システム制御部５０は、選択中の設定項目Ｄ＝Ｍの表示部２８における表示座標を取得する。もしくは親項目群３０２における表示順を取得してもよい。設定項目Ｄ＝Ｍの表示部２８における表示座標とは、図３（ａ）の設定画面３００の親項目群３０２の領域における選択項目の表示位置である。つまり、アイテム３１０が選択されている場合には、Ｓ６０６では、アイテム３１０の表示部２８における表示座標を取得する。もしくは、親項目群３０２の表示領域における各アイテムを表示するための予め定められた各表示座標を、Ｘ軸座標の小さい方から位置１、位置２、位置３、位置４、位置５として、位置するかを取得する。表示される設定項目の数により、各アイテムを表示する表示座標を変えてもよい。アイテム３１０であれば、Ｓ６０６において位置２を取得する。本実施形態では、選択中の設定項目Ｄ＝Ｍの表示座標を（ｘｍ、ｙ）とする。
【００５０】
Ｓ６０７では、システム制御部５０は、設定値の表示座標を（ｘｍ、ｙ＋α）に設定する。設定値の表示座標は、選択されている設定項目の設定値として選択されている設定値に対応するアイテムの表示座標を示すものである。つまり、子項目群３０３において選択されたアイテムが位置する表示座標である。選択された設定値の表示位置は、設定項目ごとに固定されており、選択中の設定項目と同じＸ軸の座標となる（対応する）。図３（ａ）の設定画面３００に示すように、親項目群３０２においてアイテム３１０が選択されている設定項目である場合には、アイテム３１０の真上（Ｙ軸上すぐ上）が設定値の表示座標であり、アイテム３０４の表示されている位置が設定値の表示座標となる。このように、親項目の表示位置に応じて、選択される子項目の表示位置が変わり、さらに、親項目の真上に選択された子項目が表示されるので、ユーザは選択中の親階層の項目と子階層の項目とをすぐに認識することができる。図３（ａ）の子項目群３０３においてアイテム３０４は１枚撮影、アイテム３０５は高速連続撮影、アイテム３０６は低速連続撮影、アイテム３０７はセルフタイマー１０秒／リモコン撮影、アイテム３０８はセルフタイマー２秒を示す。子項目群３０３に示される設定値の候補となる設定値Ｍ＝ｉは１〜Ｉ個まであり、選択中の設定項目がドライブモードである場合には、ｉには、１枚撮影、高速連続撮影等が含まれる。図３（ａ）の子項目群３０３においては、Ｍ＝ｉ＝１がアイテム３０４、ｉ＝２がアイテム３０５、ｉ＝３がアイテム３０６、ｉ＝４がアイテム３０７、ｉ＝５がアイテム３０８とする。アイテム３０４〜３０８の中で現在選択されているアイテム３０４が、親項目群３０２において、アイテム３１０が表示されている位置に対応する位置に表示される。
【００５１】
Ｓ６０８では、システム制御部５０は、選択中の設定項目Ｄ＝ＭのアイテムＭを上面表示部２９の表示座標（Ｘ０、Ｙ０）に表示する設定をし、システムメモリ５２に記録する。図３（ｂ）の上面表示部２９の表示である設定画面３６３に示すように、選択されているアイテム３５５は親項目群３５１の中心に表示されている。上面表示部２９は表示領域が表示部２８よりも小さく、設定項目５つを（ユーザが各アイテムを認識可能な大きさで）全て表示することができない。よって、選択されている設定項目を示すアイテムの全体が表示され、その他の設定値の候補のアイテムの一部を表示するようにする。よって、親項目群３５１の中心の位置を選択中の設定項目Ｄ＝Ｍの表示座標（Ｘ０、Ｙ０）として設定する。
【００５２】
Ｓ６０９では、システム制御部５０は、各設定項目の設定値として選択されている設定値のリストをシステムメモリ５２より取得する。図３（ａ）の表示例では、親項目群３０２のアイテム３０９〜３１３、それぞれＩＳＯ感度、ドライブモード、ホワイトバランス、フォーカス設定、調光補正の設定項目を示しており、このとき、Ｓ６０９では各設定項目の設定値を取得する。なお、表示部２８や上面表示部２９における表示順とシステムメモリ５２（不揮発性メモリ５６）に記録されている、アイテムの順番とは一致しているものとする。記録されているアイテムの順番（１〜Ｎ）に、基本的には表示領域において左から各アイテムが表示されるものとする。
【００５３】
Ｓ６１０〜Ｓ６１２の処理は、表示部２８の親項目群に選択中の設定項目を示すアイテムを表示する設定をする処理である。なお、Ｓ６０８では、上面表示部２９に選択中の設定項目を示すアイテムを表示する設定をする処理を行った。上面表示部２９においては、選択中の設定項目は設定項目（自体）を示すアイテムＭで表示したが、表示部２８においては選択中の設定値に応じて選択中の設定項目を示すアイテムの表示形態が変わる。
【００５４】
Ｓ６１０では、システム制御部５０は、設定項目Ｄ＝Ｍは設定変更可能な設定項目であるか否かを判定する。設定項目が設定変更可能な項目であると判定した場合は、Ｓ６１１へ進み、そうでない場合は、Ｓ６１２へ進む。自動で露出を変更して複数回の撮影を行う機能が有効になっている場合には、設定項目がホワイトバランスであると２枚目以降の撮影では設定変更することができない。設定項目が設定変更できない例としては以下のものがある。撮影モードがマニュアルでＩＳＯ感度がオート以外に設定されている場合には露出補正の設定変更ができない。撮影モードが動画モードである場合には、ＩＳＯ感度、調光補正は設定変更できない。Ｓ６１０で設定項目が設定変更可能な項目であると判定した場合は、Ｓ６１１へ進み、そうでない場合は、Ｓ６１２へ進む。
【００５５】
Ｓ６１１では、システム制御部５０は、設定項目Ｄ＝Ｍとして選択中の設定値のアイテムｍを表示部２８に白色で表示する設定をする。表示部２８に表示する設定画面３００では、設定項目は選択中の設定値を示すアイテムで示す。設定画面３００の背景は黒色であるので、ここでは目立つようにアイテムを白色で表示をするが、背景の色が白色である場合には黒色でアイテムを表示してもよいし、他のアイテムよりも線を太くしてもよいし、表示形態は上記に限られない。図３（ａ）の設定画面３００では、設定項目Ｄ＝Ｍを示すアイテム３１０は、ドライブモードの設定値として設定されている１枚撮影を示すアイテム３０４（アイテムｍ）で表示される。また、設定項目Ｄ＝Ｍは設定変更可能なので、白色で示し、選択可能、設定変更可能であることを示す。
【００５６】
Ｓ６１２では、システム制御部５０は、設定項目Ｄ＝Ｍとして設定中の設定値のアイテムｍを表示部２８にグレーアウトして表示する設定をする。Ｓ６１０において設定項目Ｄ＝Ｍが設定変更できないと判定された場合には、設定変更できないことを示すためにグレーアウトした状態で設定項目を示す（識別可能）。このとき、設定項目Ｄ＝Ｍを示すアイテムは設定中の設定値のアイテムｍである。図４（ａ）〜（ｆ）は設定変更できない項目がある場合の表示例である。図４（ａ）、（ｃ）、（ｅ）は表示部２８の表示例を、図４（ｂ）、（ｄ）、（ｆ）は上面表示部２９の表示例を示している。図４（ｅ）はホワイトバランスの設定変更ができない場合の表示例を示している。アイテム４０３（ホワイトバランス）は、選択中の設定項目Ｄ＝Ｍを、アイテム４０５〜４１０はそれぞれ設定値の候補となる設定値Ｍ＝ｉを示している。アイテム４０５はオートホワイトバランス、アイテム４０６は太陽光、アイテム４０７は日陰、アイテム４０８はくもり、アイテム４０９は白熱電球、アイテム４１０は白色蛍光灯を示す。アイテム４１０よりも右側には設定値がまだ続くが、表示できるところまでしか表示はしていない。設定されている設定値を示すアイテムｍは、アイテム４０５であるので、設定項目Ｄ＝Ｍを示すアイテム４０３には設定値を示すアイテム４０５がグレーアウトして表示される。自動で露出を変更して複数回の撮影を行う機能においては、１枚目の撮影のホワイトバランスの設定が継続される。よって、１枚目の撮影時のホワイトバランスの設定がオートホワイトバランスであった場合には、その後の撮影ではホワイトバランスを示すアイテム４０３は、アイテム４０５の表示形態でグレーアウトして表示される。
【００５７】
Ｓ６１３、Ｓ６１４の処理は、選択中の設定項目の設定値として選択されている設定値を示すアイテムを表示部２８と上面表示部２９とに表示する処理である。
【００５８】
Ｓ６１３では、システム制御部５０は、設定項目Ｄ＝Ｍの選択中の設定値Ｍ＝ｍのアイテムを表示部２８の設定値表示座標である（ｘｍ、ｙ＋α）に表示する設定をする。図３（ａ）の設定画面３００に示すように、選択中の設定値Ｍ＝ｍを示すアイテム３０４が、設定値表示座標に表示される。設定値表示座標には、選択された設定値を示すアイテムが表示される。親項目群と子項目群が平行に表示されるので、選択中の設定値のアイテムと設定項目Ｄのアイテムとが離れたり、対応した位置に表示されないと、長い距離の視線移動が必要となり、ユーザが親階層と子階層の関係に気付かない可能性がある。また、選択していない設定項目のアイテムと選択中の設定値のアイテムとが近くなったり、他の設定項目のアイテムの真上に選択中の設定値のアイテムが表示され、ユーザが設定項目や設定値を設定とは異なるものとして認識してしまう可能性もある。さらにユーザが選択する設定項目を切り替えた際に、選択されているアイテムを示すフォーカスが共に移動してしまうため、設定値と設定項目のいずれを切り替えたのか分からなくなってしまう可能性が高い。設定項目の変更と共に、選択中のアイテムの表示される位置も移動するようにすると、各アイテムに表示されるフォーカスが同時に移動するため、ユーザは変更された設定項目と選択中の設定値をより正確に認識できるようになる。例えば、図３（ａ）のフォーカス状態から、選択する設定項目を１つ右に変更すると、選択される設定項目と選択される設定値を示すフォーカスが共に１アイテム分移動し、図３（ｃ）に示すフォーカス状態になる。
【００５９】
Ｓ６１４では、システム制御部５０は、設定項目Ｄ＝Ｍの設置中の設定値Ｍ＝ｍのアイテムｍを上面表示部２９の（Ｘ０、Ｙ１）に表示する設定をする。上面表示部２９の設定画面３６３においては、選択された設定項目と設定値を示すアイテムとは中央の位置に表示されるので、設定項目Ｄ＝Ｍを示すアイテム３５５の表示位置（Ｘ０、Ｙ０）の真上である（Ｘ０、Ｙ１）が設定値の表示座標となる。
【００６０】
Ｓ６１５〜Ｓ６１９の処理は、表示部２８の子項目群に設定値を示すアイテムを表示する設定をする処理である。
【００６１】
Ｓ６１５では、システム制御部５０は、設定項目Ｄ＝Ｍの設定値の候補の設定値Ｍ＝ｉは設定可能であるか否かを判定する。設定値Ｍ＝ｉのｉには、選択中の設定項目の設定値のうち、選択中の設定値を除く設定値の候補が１つずつ当てはめられている。Ｓ６１５においては、選択中の設定値を除いた、Ｍが１〜Ｉまで１つずつ判定が行われる。つまり、図４（ａ）の設定画面３００においては、アイテム３０４、アイテム４０１、アイテム４０２、アイテム３０７、アイテム３０８のうち、選択中の設定値を示すアイテム３０４以外のアイテムがｉとして１つずつＳ６１５の判定をされる。アイテム４０１、４０２は、現在ドライブモードとして設定できない設定値であるので、Ｓ６１５の判定はＮｏとなり、アイテム４０７、４０８は設定可能な設定値であるので、Ｙｅｓとなる。撮影した画像に様々な効果を自動でかけて画像を生成するフィルター効果を設定している場合には、連写の設定をすることができない。よって、フィルター効果が設定されている場合には、アイテム４０１、４０２、３０７、３０８のうち、アイテム４０１、４０２はＳ６１５でＮｏ，アイテム３０７、３０８はＹｅｓとなる。
【００６２】
Ｓ６１６では、システム制御部５０は、設定候補の設定値Ｍ＝ｉのアイテムｉを表示部２８の（ｘｍ＋ｉ、ｙ＋α）に白色で表示する。Ｘ座標（ｘｍ＋ｉ）は、選択中の設定値のＸ座標ｘｍと、選択中の設定値のアイテムと各アイテムとの距離ｉとを足したものである。図４（ａ）の設定画面３００では、Ｓ６１５で上述したように、アイテム３０７が設定可能であると判定されたので、アイテム３０７は、アイテム３０４の位置から３つ分離れた位置に白色で表示される。ｉはアイテム３０７のときはアイテム３つ分、アイテム３０８のときはアイテム４つ分の距離を示す。このように設定候補となる各アイテムｉの表示座標も、選択中の設定値（ｉが決まる）と選択中の設定項目（ｘｍ）の表示位置により変わる。なお、子項目群におけるアイテムの表示においても、Ｓ６０６で上述したようにアイテムの表示順を取得し、予め決まったアイテムの表示位置のいずれかに各アイテムを表示してもよい。
【００６３】
Ｓ６１７では、システム制御部５０は、設定候補の設定値Ｍ＝ｉのアイテムｉを表示部２８の（ｘｍ＋ｉ、ｙ＋α）にグレーアウトして表示する。図４（ａ）の設定画面３００では、Ｓ６１５で上述したように、アイテム４０１が設定できないと判定されたので、アイテム４０１は、アイテム３０４の位置から１つ分離れた位置にグレーアウトして表示される。
【００６４】
Ｓ６１８では、システム制御部５０は、設定候補の設定値Ｍ＝ＩまでＳ６１５〜Ｓ６１７の処理を行い、表示設定を行ったか否かを判定する。設定値Ｍ＝Ｉまで表示設定を行ったと判定した場合は、Ｓ６２０へ進み、そうでない場合は、Ｓ６１９へ進む。
【００６５】
Ｓ６１９では、システム制御部５０は、Ｍ＝ｉ＋１をして、次の設定候補となる設定値の判定をＳ６１５において行うようにする。なお、ｉは設定候補となる設定値を表示部２８に表示される左端の設定値の候補からｉ＝１として説明をしたが、この限りでなくてもよい。
【００６６】
Ｓ６２０、Ｓ６２１の処理は、上面表示部２９において選択されている設定値とは異なる他の設定値の候補を表示するための処理である。表示部２８とは異なり、上面表示部２９では選択されている設定値の他には最大２つしか設定値が表示されない。また、表示領域が限られているので、選択されている設定値以外は設定値を示すアイテムの全体が表示されず、一部が表示される。
【００６７】
Ｓ６２０では、システム制御部５０は、設定可能な設定値の候補Ｍのうち、設定中の設定値Ｍ＝ｍの前後の選択可能な設定値を取得する。つまり、図３（ａ）では設定中の設定値Ｍ＝ｍはアイテム３０４の示す１枚撮影であり、その前の設定値はなく、そのあとの設定値はアイテム３０５の示す高速連続撮影である。よって、図３（ａ）のようにアイテム３０４が選択されている場合には、Ｓ６２０においては、高速連続撮影を取得する。また、図４（ｂ）では設定中の設定値Ｍ＝ｍはアイテム３０７の示すセルフタイマー１０秒／リモコン撮影であるので、その前の設定値はアイテム４０２であるが、アイテム４０２は選択可能ではない。また、アイテム４０２のさらに前にあるアイテム４０１も選択可能ではないので、さらにその前にある選択可能であるアイテム３０４の示す１枚撮影が前の設定値となる。アイテム３０７の後はアイテム３０８の示すセルフタイマー２秒である。よって、図４（ｂ）のようにアイテム３０７が選択されている場合には、Ｓ６２０においては、１枚撮影とセルフタイマー２秒とを取得する。
【００６８】
また、Ｓ６２０においては、現在選択されている設定項目が設定変更可能であるか、否かにより処理が異なる。現在選択されている設定項目が設定変更可能である場合には、上述の通り、設定可能な設定値の候補Ｍのうち前後の設定値を取得するが、設定変更できない設定項目である場合には、設定値を取得しない。設定変更できない設定項目であると判定された場合には、Ｓ６２１の処理は行わない。
【００６９】
Ｓ６２１では、システム制御部５０は、Ｓ６２０において取得した選択中の設定値の前後の設定値の候補を上面表示部２９に表示する。Ｓ６２０では、アイテム３０４の前後のアイテムとしてアイテム３０５が取得されたので、図３（ｂ）に示す子項目群３５０には、選択中の設定値を示すアイテム３５２の右側の位置である表示座標（Ｘ１、Ｙ１）に高速連続撮影を示すアイテム３５４を表示する。図３（ｂ）においては、選択中の設定値（表示順が最初）の前の設定値の候補はないので、領域３５３には設定値を示すアイテムは表示されない。図４（ｄ）に示す子項目群３５０には、選択中の設定値を示すアイテム４５０の右側の位置である表示座標（Ｘ１、Ｙ１）に、選択中の設定値の後の設定値であるセルフタイマー２秒を示すアイテム４５３が表示される。また、左側の位置である表示座標（Ｘ（−１）、Ｙ１）に、選択中の設定値の前の設定値である１枚撮影を示すアイテム３５２を表示する。表示部２８においては、設定値の候補のうち設定可能でないものはグレーアウトして表示をしたが、上面表示部２９では表示領域が限られているため設定可能な設定値の候補のみを表示する。上述したように上面表示部２９においては、選択中の設定値とその左右に１つずつしか設定値の候補が表示されない。よって、選択可能でない設定値が選択中の設定値の横に表示されてしまうと、それ以外のアイテムをユーザは見えないため、見えている設定値の候補を選択できるものと認識してしまう可能性がある。よって、上面表示部２９においては、選択できない設定値は表示せずに、ユーザが次に選択可能な設定値の候補を正確に認識できるようにする。
【００７０】
また、選択されている設定項目の設定変更ができない場合に、上面表示部２９においてその他の設定値を示す表示をしてしまうと、ユーザが設定変更できると認識してしまう可能性があるので、表示をしないようにする。図４（ｆ）の子項目群３５０に示すように、選択中の設定値を示すアイテム４５４は表示されているが、領域４５５と領域４５６にはアイテムが表示されておらず、これにより設定値の変更ができないことをユーザは認識できる。
【００７１】
Ｓ６２２〜Ｓ６２７の処理は、表示部２８の親項目群３０２に選択可能な設定項目を示すアイテムを表示する処理である。
【００７２】
Ｓ６２２では、システム制御部５０は、設定項目Ｄ＝Ｎは設定変更可能な設定項目であるか否かを判定する。設定項目は１〜５まで最大ある。Ｎは１〜最大５の設定項目のいずれかであり、Ｓ６２２では、選択中の設定項目を除く全ての設定項目について順々に判定を行っていく。図４（ｃ）の設定画面３００において説明をする。図４（ｃ）の設定画面３００の親項目群３０２では、アイテム４０４の示すドライブモードが選択されている。よって、Ｓ６２２では、アイテム３０９の示すＩＳＯ感度、アイテム４０３の示すホワイトバランス、アイテム３１２の示すフォーカス設定、アイテム３１３の示す調光補正について順番に判定を行う。ＩＳＯ感度は現在設定変更可能な設定項目であるのでＳ６２２の判定はＹｅｓとなる。一方、ホワイトバランスは現在設定変更可能な設定項目ではないので、Ｓ６２２の判定は、Ｎｏとなる。設定項目Ｄ＝Ｎは設定変更可能な設定項目であると判定された場合は、Ｓ６２３へ進み、そうでない場合は、Ｓ６２４へ進む。
【００７３】
Ｓ６２３では、システム制御部５０は、Ｓ６２２で判定を行った設定項目Ｄ＝Ｎの設定値を示すアイテムを表示部２８の表示座標（ｘｎ、ｙ）に白色で表示する設定をする。図４（ｃ）の設定画面３００の親項目群３０２においては、ＩＳＯ感度を示す設定項目が、現在のＩＳＯ感度の設定値を示すＩＳＯ１００のアイテム（アイテムｎ）の表示形態でアイテム３０９として表示される。このように、設定値を示すアイテムで設定項目を表示することで、ユーザは親項目群３０２を見れば、設定中の設定値の一覧を把握することができるので、撮影中に素早く複数の設定項目の設定値を確認することができる。また、設定値の変更操作を行いながらも、親項目群３０２において他の設定項目の設定値を確認できるので、操作性がよい。表示座標のｘｎの位置は各設定項目の表示順に基づいて定められた位置である。ＩＳＯ感度を示す設定項目は５つの設定項目のうち、１番目の設定項目であるので親項目群３０２のうち左端の位置に表示される。Ｓ６１１で表示する設定のされた選択中の設定項目であるドライブモードは、５つの設定項目のうち、２番目の設定項目であるので、親項目群３０２のうち左から二番目の位置に表示される。
【００７４】
Ｓ６２４では、システム制御部５０は、設定項目Ｄ＝Ｎは無効であるか否かを判定する。Ｓ６２２において設定変更可能でないと判定され（Ｓ６２２Ｎｏ）、さらに、Ｓ６２４において無効であると判定された設定項目は表示されない。表示されない設定項目があるときには、設定項目は詰めて表示される。つまり、５つ設定項目が設定されている場合に真ん中の１つが無効である場合には、間を詰めて４つのアイテムが同じ間隔で表示されるようにする。設定項目Ｄ＝Ｎが無効であると判定されると、Ｓ６２６へ進み、そうでない場合は、Ｓ６２５へ進む。
【００７５】
Ｓ６２５では、システム制御部５０は、設定項目Ｄ＝Ｎの設定値を示すアイテムを表示部２８の表示座標（ｘｎ、ｙ）にグレーアウトして表示する設定をする。図４（ｃ）の設定画面３００の親項目群３０２においては、ホワイトバランスを示す設定項目が、現在のホワイトバランスの設定値を示すオートホワイトバランス（ＡＷＢ）のアイテム（アイテムｎ）の表示形態でアイテム４０３として表示される。このように、ホワイトバランスの設定項目を、設定値を示すＡＷＢの表示形態でグレーアウトして表示することで、ユーザは、ホワイトバランスの現在の設定値を確認できると共に、設定値はＡＷＢから設定変更できないことを認識することができる。設定項目Ｄ＝Ｎが設定変更できない場合には、図４（ｅ）の設定画面３００の子項目群３０３に示すように全てのアイテムがグレーアウトして表示される。このとき、サブ電子ダイヤル７２を示すアイテム３１６は表示されない。
【００７６】
Ｓ６２６では、システム制御部５０は、Ｄ＝５まで設定項目の表示設定がされたか否かを判定する。なお、親項目群３０２の設定項目として設定されている設定項目の数が５つでなく３つや４つである場合には、Ｄ＝３やＤ＝４まで設定項目の表示設定がされたか否かを判定する。Ｄ＝５まで設定項目の表示設定がされたと判定した場合は、Ｓ６２８へ進み、そうでない場合は、Ｓ６２７へ進む。
【００７７】
Ｓ６２７では、システム制御部５０は、Ｄ＝Ｎ＋１をして次の設定項目について、Ｓ６２２〜Ｓ６２５の処理を行うようにする。
【００７８】
Ｓ６２８、Ｓ６２９の処理では、上面表示部２９の親項目群３５１に選択可能な設定項目を示すアイテムを表示する処理である。なお、上面表示部２９の子項目群３５０においては選択可能な設定値を示すアイテムのみを表示するようにしたが、親項目群３５１においては、設定変更可能な設定項目か否かに関わらず設定項目を示すアイテムを表示するようにする。
【００７９】
Ｓ６２８では、システム制御部５０は、設定項目Ｄ＝Ｎのアイテムのうち設定中の設定項目Ｄ＝Ｍの設定項目の前後の設定項目を取得する。図４（ｃ）のようにドライブモードの設定項目が選択されている場合には、その前後の設定項目はアイテム３０９の示すＩＳＯ感度と、アイテム４０３の示すホワイトバランスとなる。また、図４（ｅ）のようにホワイトバランスの設定項目が選択されている場合には、その前後の設定項目はアイテム３１０の示すドライブモードと、アイテム３１２の示すフォーカス設定である。このうち、図４（ｃ）の場合にはホワイトバランスを示す設定項目は設定変更できない設定項目であるが、上面表示部２９に表示する場合にはＳ６２８において、選択中の設定項目Ｄ＝Ｍの前後の設定項目が取得される。
【００８０】
Ｓ６２９では、システム制御部５０は、Ｓ６２８で取得した設定中の設定項目Ｄ＝Ｍの前後の設定項目Ｄ＝ＮのアイテムＮを上面表示部２９の表示座標（Ｘ１、Ｙ０）または（Ｘ（−１）、Ｙ０）に表示する設定をする。上面表示部２９の親項目群３５１においては、設定項目は設定項目自体を示す表示形態で表示される。よって、図４（ｃ）に示すようにＩＳＯ感度は表示部２８においてアイテム３０９で表示されていたが、図４（ｄ）に示すようにＩＳＯ感度を示すＩＳＯとしてアイテム３５６が上面表示部２９の表示座標（Ｘ（−１）、Ｙ０）に表示される。また、ホワイトバランスは図４（ｃ）に示す表示部２８において設定値を示すアイテム４０３で表示されていたが、図４（ｄ）に示すようにホワイトバランスを示すＷＢとしてアイテム３５７が上面表示部２９の表示座標（Ｘ１、Ｙ０）に表示される。
【００８１】
Ｓ６３０では、システム制御部５０は、Ｓ６２９以前の処理において表示設定をしたアイテムを表示部２８及び上面表示部２９に表示する。
【００８２】
Ｓ６３１では、システム制御部５０は、表示部２８において選択される設定項目と設定値とを示すアイテムにフォーカスを表示する。図３（ａ）においては、設定項目としてドライブモードが選択されているので、ドライブモードを示すアイテム３１０にオレンジ色のカーソル３２５が表示される。また、ドライブモードの設定値として１枚撮影が選択されているので、１枚撮影を示すアイテム３０４に黒色のカーソル３１４が表示される。後述するように、本実施形態では、親階層（設定項目）と子階層（設定値）はそれぞれ異なる操作部材で設定変更可能である。よって、現在設定変更のされている方（最後に設定変更された）の階層にはオレンジ色のカーソル３２５が表示され、そうでない方の階層には黒色のカーソル３１４が表示される。図３（ｅ）では、現在設定変更中の項目が子階層である、ホワイトバランスの設定値であるので、ホワイトバランスを示すアイテム３６４にカーソル３１４が、ホワイトバランスの設定値である太陽光を示すアイテム３１８にカーソル３２５が表示されている。なお、カーソル３１４とカーソル３２５の表示形態は、上記に限らず、カーソル３２５の方が目立つ表示形態であればよい。さらに、Ｓ６３１においては図３（ａ）の枠３４９に示すような、選択中の設定項目と、設定値とを示す枠を表示する。枠３４９は設定項目と設定値の両方を囲うように表示されるので、ユーザは設定項目の設定値として枠内の設定値が設定されていることを認識しやすい。また、選択された設定値が枠３４９内に移動するので、設定値の候補のうち選択されている設定値をすぐに把握することができる。また、操作部材を示すアイテムを表示する。図３（ａ）のアイテム３１５はサブ電子ダイヤル７１、アイテム３１６はメイン電子ダイヤル７２を示すものであり、各操作部材を操作することにより、各階層の設定変更が可能なことを示している。
【００８３】
Ｓ６３２では、システム制御部５０は、上面表示部２９において選択される設定項目と設定値にフォーカスを表示する。図３（ｂ）においては、設定項目としてドライブモードが選択されているので、ドライブモードを示すアイテム３５５に太い線のカーソル３６５が表示される。また、ドライブモードの設定値として１枚撮影が選択されているので、１枚撮影を示すアイテム３５２に細い線のカーソル３６６が表示される。さらに、図３（ｂ）のガイド３５８を表示する。ガイド３５８は、５つ（設定された設定項目の数）の設定項目のうち、どの位置の設定項目が現在選択されているのかを示すためのガイドである。５つ並んだ四角のおうち、左から２番目の四角の表示形態が他の四角とは異なる。よって、５つのうち、左から２番目の位置にあるアイテムが現在選択されており、左に１つ、右に３つのアイテムがさらにあることを示している。
【００８４】
以上、説明した実施形態によれば、ユーザは選択された設定項目と選択された設定値との関係を把握しやすくなる。設定項目の表示位置に応じて、選択された設定値の表示される位置が変わり、設定項目の表示位置の真上に選択された設定値が表示されるので、ユーザは選択中の設定項目の設定値を素早く把握することができる。また、親階層と子階層とを平行に並べて表示するので、ＬＶ画像に重畳して表示しても、ＬＶ画像の視認性の低下を低減することができる。親階層と子階層を交差させると選択された設定項目の位置によっては、ＬＶ画像の中央部分とアイテムが重なってしまう可能性がある。しかし、平行に並べてＬＶ画像の下の領域に表示することでＬＶ画像の中央部分と重なることなく、視認性の低下を低減することができる。
【００８５】
また、表示領域が大きい場合でも限られている場合でも、ユーザの設定の際の操作性を向上させることができる。表示領域が大きい場合には、設定中の設定値の一覧を見ることができるので、他の設定項目の設定値を確認しながら設定操作を行うことができる。表示領域が限られている場合には、設定中の設定項目がどの項目なのかをより正確にユーザが認識でき、さらに選択可能な設定値しか表示しないので、次に選択操作をしたら選択される項目をユーザは認識することができる。
【００８６】
次に、図７を用いて設定値変更処理について説明する。この処理は、不揮発性メモリ５６に記録されたプログラムをシステムメモリ５２に展開してシステム制御部５０が実行することで実現する。設定値変更処理は、図５のＳ５１０へ進むと開始される。後述の実施形態では、表示部２８と上面表示部２９とへ表示する例を説明するが、表示部２８の代わりにファインダ内表示部５８へと表示をしてもよい。
【００８７】
Ｓ７０１では、システム制御部５０は、Ｓ５０９で判定された操作においてサブ電子ダイヤル７２が操作されたか否かを判定する。サブ電子ダイヤル７２が操作されたと判定した場合は、Ｓ７０２へ進み、そうでない場合は、Ｓ７０３へ進む。Ｓ７０２へ進むと設定項目の変更処理を行い、サブ電子ダイヤル７２でないメイン電子ダイヤル７１が操作されたと判定した場合は、設定値の変更処理を行う。
【００８８】
Ｓ７０２〜Ｓ７１７の処理は、設定項目が変更された場合の処理であり、表示部２８においては選択された設定項目へカーソルを移動し、さらに上面表示部２９においては選択された設定項目が中央の位置に移動するようにスクロールする設定をする。また、設定項目の変更に伴い、表示される設定値を変更するための処理を行う。
【００８９】
Ｓ７０２では、システム制御部５０は、選択中の設定項目Ｄ＝Ｍを変更する。図３（ａ）においてはドライブモードが設定項目として選択されているが、ここで、サブ電子ダイヤル７２の回転操作がされると、図３（ｃ）に示すようにホワイトバランスが設定項目として選択されるようになる。変更された設定項目はＤ＝Ｍとしてシステムメモリ５２に記録される。サブ電子ダイヤル７２が右回転されると現在選択されている設定項目の右側の設定項目へ、左回転されると左側の設定項目へと切り替わる。また、左端または右端の設定項目を選択しているときに、それぞれ左回転、右回転をしてもこれ以上先にアイテムがないので切り替わらない。
【００９０】
Ｓ７０３では、システム制御部５０は、設定項目Ｄ＝Ｍの設定中の設定値Ｍ＝ｍを変更する。図３（ｃ）に示すようにホワイトバランスの設定値として、アイテム３１７の示すオートホワイトバランスが選択されている際に、設定値の変更操作がされると設定値は太陽光に変更される。図３（ｃ）に示す子項目群の各アイテムは、アイテム３１７がオートホワイトバランス、アイテム３１８は太陽光、アイテム３１９は日陰、アイテム３２０はくもり、アイテム３２１は白熱電球、アイテム３２２は白色蛍光灯を示している。
【００９１】
Ｓ７０４、Ｓ７０５の処理は、図６のＳ６０６、Ｓ６０７の処理と同様の処理である。Ｓ７０４、Ｓ７０５においては、Ｓ７０２で変更された設定項目Ｄ＝Ｍの表示座標と取得し、設定項目Ｄ＝Ｍの設定値を表示するための位置である設定値表示座標を設定する。さらにＳ７０５においては、選択された設定項目Ｄ＝Ｍの選択中の設定値を、設定値表示座標に表示する。
【００９２】
Ｓ７０６では、システム制御部５０は、選択中の設定項目Ｄ＝ＭのアイテムＭが上面表示部２９の選択中の設定項目の表示される表示座標である（Ｘ０、Ｙ０）に表示されるように、親項目群３５０に表示されるアイテムを移動する（スクロール）。選択される設定項目がドライブモードからホワイトバランスに切り替わると、図３（ｂ）に示すアイテム３５５が（Ｘ０、Ｙ０）に表示される状態から、図３（ｄ）に示すアイテム３５７が（Ｘ０、Ｙ０）に表示される状態になるように移動する。つまり、アイテム３５１が右端から中央に、アイテム３５５が中央から左端に、アイテム３６２（フォーカス設定を示す）が右端に表示されるようにアイテムが移動するように設定する。
【００９３】
Ｓ７０７では、システム制御部５０は、表示部２８において選択された設定項目Ｄ＝Ｍにフォーカスが移動するように設定をする。表示部２８においては、選択可能な設定項目がそもそも全て表示されており、設定項目が選択されても項目列は移動しない。設定項目が選択されたことに応じて、選択された設定項目が中央や端等の所定の位置に移動してしまうと、複数の設定項目の中には非表示になってしまうものがある。よって、表示部２８においてはフォーカスを移動するだけで、設定項目の移動はしない。図３（ａ）では、アイテム３１０にカーソル３２５が当たっているが、設定項目としてホワイトバランンスが選択されると、図３（ｃ）に示すようにアイテム３１１にカーソル３２５が移動する。
【００９４】
Ｓ７０８の処理は、図６のＳ６１４の処理と同様の処理であり、上面表示部２９の子項目群３５０の中央の位置に選択された設定項目の設定値を表示する。
【００９５】
Ｓ７０９〜Ｓ７１０の処理は、図６のＳ６２０、Ｓ６２１の処理と同様の処理である。
【００９６】
Ｓ７１１〜Ｓ７１５の処理は、図６のＳ６１５〜Ｓ６１９の処理と同様の処理である。選択する設定項目が変更され、さらに表示される設定値も変更されたので、子項目群に表示する設定値の候補を表示するための処理を行う。
【００９７】
つまり、図３（ａ）に示すようにドライブモードが設定項目として選択されている際に、設定項目が変更されると、表示部２８と上面表示部２９における、設定項目Ｄ＝Ｍの表示と、設定値の表示とが切り替わる。設定値表示座標については、選択された設定値を示すアイテムの表示位置が図３（ａ）のアイテム３０４が表示されている位置から図３（ｃ）のアイテム３１７が表示されている位置に変更される。表示部２８においては、設定項目Ｄ＝Ｍを示す表示として選択中の設定値のアイテムが、上面表示部２９においては、設定項目Ｄ＝Ｍを示す表示として設定項目を示すアイテムが表示される。
【００９８】
Ｓ７１６〜７１８の処理は、選択される設定値が変更された場合の処理であり、表示部２８においては選択された設定値を示すアイテムを設定値表示座標までスクロールする。上面表示部２９においても子項目群３５０の中央の位置まで選択された設定値を示すアイテムをスクロールする。
【００９９】
Ｓ７１６では、システム制御部５０は、表示部２８の設定値表示座標（ｘｍ、ｙ＋α）に選択された設定値を示すアイテムが位置するように、設定値を示すアイテムを移動する設定をする。図３（ｃ）では、ホワイトバランスの設定としてオートホワイトバランスが選択されており、アイテム３１７が設定値表示座標に表示されている。設定値がオートホワイトバランスから太陽光へと変更されると、太陽光を示すアイテム３１８が設定値表示座標に表示されるようにアイテムを移動する。つまり、図３（ｃ）に示すアイテム３１７〜３２２の状態から、図３（ｅ）に示すアイテム３１７〜３２２の状態になるように、アイテム１つ分移動する（スクロール、シフト）。子項目群３０３においては全ての設定値を示すアイテムが表示されているわけではないので、スクロールによりアイテム３２３のように新たなアイテムが表示されることがある。
【０１００】
Ｓ７１７では、システム制御部５０は、設定項目Ｄ＝Ｍを示すアイテムとして表示部２８の親項目群３０２に表示されるアイテムの表示形態を変更する。表示部２８において、設定項目は現在の設定値を示すアイテムで表示されている。よって、メイン電子ダイヤル７１の回転操作がされて設定値が変更されたら設定項目Ｄ＝Ｍを示すアイテムの表示形態を変更する。言い換えると、表示部２８の座標（ｘｍ、ｙ）の位置に白色で変更された設定値を示すアイテムを表示する。図３（ｃ）の親項目群３０２においては、選択されている設定項目としてオートホワイトバランスを示すアイテム３１１が表示されている。ここで、アイテム３１７（オートホワイトバランス）から３１８（太陽光）へと設定変更がされると、図３（ｅ）の太陽光を示すアイテム３６４が設定項目ホワイトバランスを示すアイテムとして表示される。
【０１０１】
Ｓ７１８の処理は、図６のＳ６２０の処理と同様の処理である。
【０１０２】
Ｓ７１９では、システム制御部５０は、上面表示部２９の子項目群３５０の中央の位置、つまり、（Ｘ０、Ｙ１）に選択した設定値を示すアイテムが表示されるように子項目群３５０のアイテムを移動する。さらに、Ｓ７２０で取得した選択中の設定値Ｍ＝ｍの前後の設定値Ｍ＝ｉのアイテムを上面表示部１９の（Ｘ（−１）、Ｙ１）または（Ｘ１、Ｙ１）に表示されるようにアイテムを移動する。
【０１０３】
Ｓ７２０では、Ｓ７１９以前の処理において表示設定をしたアイテムを表示部２８及び上面表示部２９に表示する。移動する設定がされている場合には、アイテムを移動する（スクロール）。
【０１０４】
Ｓ７２１では、システム制御部５０は、表示部２８において選択される設定値を示すアイテムにフォーカスを表示する。
【０１０５】
Ｓ７２２では、システム制御部５０は、上面表示部２９において選択される設定項目と設定値にフォーカスを表示する。なお、フォーカスの表示はアイテムの表示と同タイミングでもよいし、アイテムが移動する場合には、フォーカスは表示したまま、アイテムがフォーカスの位置に移動してもよい。
【０１０６】
以上、説明した実施形態によれば、ユーザは設定変更をした際の視認性が向上する。選択する設定項目を変更する際に、設定項目と設定値のフォーカス位置が同じになるため、ユーザは設定項目、設定値ともに同じように視線移動をすればよい。よって、設定項目と設定値のどちらがフォーカス移動（変更）されたのか分からなくなる可能性が低減する。また、表示部２８においては選択される設定項目を変更しても移動せず、選択される設定値を変更すると選択中の設定項目に対応する位置に移動する。これにより、設定項目が移動しないため、設定項目の一部が非表示になることなく、ユーザはいつも設定中の設定値の一覧を確認することができる。また、選択される設定値が同じ位置に移動するので、選択中の設定値を把握しやすい。
【０１０７】
さらに説明した実施形態によれば、ユーザは表示領域の大きさに関わらず視認性良く設定変更を行うことができる。表示領域の大きな表示部２８においては、設定項目として設定値を示すアイテムが表示されるので、ユーザは設定値の一覧を見ながら設定操作や撮影を行うことができる。一方で、表示領域の限られる上面表示部２９においては、設定中の設定項目をユーザがより正確に認識できる。上面表示部２９において、表示部２８と同様に設定項目を示すアイテムを選択された設定値のアイテムで表示してしまうと、同じ表示形態のアイテムが２つと、その他の設定値の候補を示すアイテムの一部が表示される。これでは、ユーザが設定項目に含まれる設定値の表示形態を記憶していない場合には、今どの設定項目の設定を行っているのか分からなくなる可能性が高い。一方、表示部２８の場合には、少なくとも選択されている設定値の他に設定値の候補となるアイテムが２つは完全に表示されるので、ユーザは設定値の一覧から設定中の設定項目を把握できる可能性が高い。上面表示部２９では、設定項目の一覧を表示できない、もしくは表示したとしても小さくなってしまうので、設定項目自体を示す表示形態で表示した方がユーザにとっては操作性もよい。
【０１０８】
表示部２８において設定項目の各アイテムは非表示になることがないが、設定値のアイテムは設定値表示座標と選択された設定値の位置によって非表示になる。しかしながら、設定項目のアイテムは表示部２８の中央の領域に表示されており、左右にそれぞれアイテム２つ分の幅の余裕がある。よって、仮に左端や右端の設定項目が選択され、さらに設定値の中の右端や左端の設定値が選択されたとしても、少なくとも３つの設定値の候補が表示される。このように、アイテムを表示することで、選択された設定値のアイテムの表示位置を設定項目に応じて変更しても、他の設定値の候補が確認しにくくなるのを低減している。
【０１０９】
なお、表示部２８に表示すると説明した表示先は表示部２８やファインダ内表示部５８に限らず外部出力でもよい。
【０１１０】
図８（ａ）〜（ｆ）を用いて、本実施形態における設定画面に表示する設定項目の設定について説明する。図８（ａ）〜（ｆ）は、設定画面に表示する設定項目を選択、並び替えするための画面であり、図８（ａ）は、メニュー画面の設定画面に関する項目を選択すると表示部２８に表示される。
【０１１１】
図８（ａ）では、設定項目８０１はＩＳＯ感度を表し、設定項目８０２はドライブモードを、設定項目８０３はＡＦ動作を表す。設定項目８０４はホワイトバランスを表し、設定項目８０５は調光補正を、設定項目８０６は露出補正を表す。設定項目８０７はＡＦ方式を表し、設定項目８０８は測光モードを、設定項目８０９はピクチャースタイルを表す。チェック８１０は設定項目８０１から８０９の中でユーザが選択した設定項目を示す。本実施形態では、選択できる設定項目の数は最大５つとしている。ただし、表示先の大きさに応じて数を変更してもよい。フォーカス８１４は現在選択されている位置を示しており、フォーカスが当たった状態でＳＥＴボタン７５を押下すると選択することができる。アイテム８１１は項目名を示し、アイテム８１２はメニューボタンの押下で設定のキャンセル、アイテム８１３はＩＮＦＯボタンの押下で次に進めることを示している。
【０１１２】
図８（ｂ）では、図８（ａ）で選択された設定項目を示すアイテムが表示される。ここで、フォーカス８１４と移動し、図８（ｃ）のように設定項目８０３に表示し、さらにＳＥＴボタン７５を押下すると、設定項目８０３を選択できる。設定項目８０３が選択されると、図８（ｄ）のアイテム８０３に移動矢印８１５が表示される。ここで、十字キー７４の右キー７４ｄを押下すると、アイテム８０３は右に移動する。図８（ｅ）はアイテム８０３が右に１つ分移動し、アイテム８０４と表示位置が変わっていることを示している。ここで、ＳＥＴボタン７５を押下すると図８（ｆ）に示すように、アイテム８０３の並び替えが完了し、さらにＩＮＦＯボタンを押下すると並び替え操作が終了する。このように、ユーザは設定画面に表示する設定項目を選択し、さらに並び替えることができる。ユーザは自身で並び替えることで、感覚的に所望の設定項目のある位置をつかむことができ、例えば右端に設定した設定項目は、サブ電子ダイヤル７２を思い切り右回転させれば、素早く選択できると分かる。さらに、右から２番目の項目であれば思い切り右回転した後に１つ分左に戻せば素早く選択できると分かる。システムメモリ５２においては、左にある項目から順にアイテム１、アイテム２、アイテム３、アイテム４、アイテム５として各設定項目を記憶し、図６のＳ６２２の判定等ではアイテム１から判定をする。
【０１１３】
次に、図９（ａ）〜（ｅ）を用いて、その他の表示例について説明をする。図９（ａ）、（ｂ）はファインダ内表示部５８における設定画面の表示例であり、デジタルカメラ１００の傾きに応じて表示が変わることを説明するための図である。図９（ａ）では、デジタルカメラ１００を水平に構えており、図９（ｂ）では縦向き（水平から９０度回転、縦横比が異なる）に構えている。図９（ａ）、（ｂ）共に表示領域の下辺に沿って設定画面が表示される。図９（ａ）に示す設定画面９０１は、表示領域が横長なので設定項目の全てが大きく表示されているのに対し、図９（ｂ）に示す設定画面９０２では、表示領域が縦長なので、設定項目が設定画面９０１よりも小さく表示される。また、設定値の候補を表示する幅も短いため、同じ設定項目、同じ設定値を選択していても、表示される選択可能な他の設定値の候補の数は設定画面９０２の方が少ない。なお、表示領域が縦長になった場合には、縦長の辺に沿ってアイテムを表示してもよい。
【０１１４】
図９（ｃ）は、パソコン（ＰＣ）に本実施形態を適用した例である。デジタルカメラ１００とパソコン９０３とが、通信部５４で無線または有線で接続することによって、表示部２８の変わりに設定画面を表示することもできる。また、操作領域の大きさに応じて設定項目を全て表示する一覧表示（例えば図３（ａ））をするか、一部の設定項目だけを表示する一部表示（例えば図３（ｂ））をするかを切り替えてもよい。パソコンの表示領域の全面が現在の操作領域である場合には、図９（ｃ）に示すように、設定項目の一覧を表示するようにし、パソコンの一部の狭い表示領域で操作をしている場合には、図３（ｂ）に示したような一部表示をする。どちらの表示にするかは、ユーザが視認可能な大きさで設定項目の一覧を表示できる幅があるか否かに応じて決めればよい。例えば、スマートホンやタブレット等では、画像（再生画像）に効果をかけたり、大きさを変える編集を編集画面において行っている場合には、一覧表示をする。また、複数の画像が表示されており、画像の選択と編集とを共に行うような場合には、一部表示をするようにしてもよい。さらに、背景の操作画面の一部に半透過に重畳して一時的に、背景の操作画面とは異なる操作、例えば、画面の明るさや音量、設定モードの変更を受け付ける表示をする場合には、一部表示をしてもよい。このとき、画面の明るさや音量、設定モードの変更を行うための設定画面を表示領域の全面に表示する場合には、一覧表示をする。
【０１１５】
さらに、上述の実施形態においては、設定画面として、図３（ａ）〜（ｇ）や図４（ａ）〜（ｆ）に表示されるもの（区別のために、簡易設定画面とする）を説明したが、デジタルカメラ１００のライブビュー画面からはその他の種類の設定画面も表示可能である。
【０１１６】
図９（ｄ）にはＵ字設定画面を、図９（ｅ）にはクイック設定画面を示す。図９（ｄ）のＵ字設定画面は図５のＳ５０１においてＬＶ画像を表示した状態においてＳＥＴボタン７５を押下されると表示される設定画面であり、表示される設定項目とその位置はカスタマイズ可能である。Ｕ字設定画面では、簡易設定画面よりも設定可能な設定項目の数が多く、最大１１個まで設定可能である。設定項目は領域９０５に表示され、選択された設定値は領域９０６に表示される。Ｕ字設定画面においては、設定可能な設定項目の数も多く、簡易設定画面よりもより詳しく撮影の設定をする際に使用される。よって、ＬＶ画像と設定項目や設定値を示すアイテムが重畳する領域が多くなる。Ｕ字設定画面においては、より多くの設定項目の一覧性を重視するため、簡易設定画面のように設定項目と設定値とは平行に表示しない。ユーザはＬＶ画像を見ながら設定変更する画面として、簡易設定画面とＵ字設定画面とから状況によって選択することができる。Ｕ字設定画面の表示は、上面表示部２９には表示されなくてもよいし、表示されてもよい。
【０１１７】
図９（ｅ）のクイック設定画面は、ＬＶ画像が表示された状態から不図示のクイックボタンを押下することにより表示される。クイック設定画面も表示する設定項目と、設定項目に対応するアイテムの大きさ、表示位置をカスタマイズ可能である。クイック設定画面ではＬＶ画像に重畳されずに、Ｕ字設定画面よりもさらに詳しく撮影項目を設定する場合に使用される。クイック設定画面は、各設定項目にカーソルをあて、設定値を変更するためのメイン電子ダイヤル７２の回転をすると設定値の変更が可能である。サブ電子ダイヤル７１は、カーソルの移動に使用される。メイン電子ダイヤル７２での設定値の変更を行う場合には、設定値の候補は表示されず、各設定項目に表示される設定項目の表示形態が分かる。もしくは、子階層に移動することで設定値の候補の一覧を表示してもよい。クイック設定画面では撮影モードの変更もできる。なお、クイック設定画面の表示はその一部の項目が簡易的に上面表示部２９に表示される。
【０１１８】
以上のように設定画面は複数あり、簡易設定画面では、撮影と撮影の合間により素早く設定値を変更するのにより適しており、Ｕ字設定画面は撮影中により詳細設定をするのにより適している。さらにクイック設定画面では撮影モードを含む、設定を変更可能である。簡易設定画面においては、より素早く、ユーザが設定項目と設定値とを混乱することなく設定することができる。
【０１１９】
なお、上述した実施形態においては設定項目としてＩＳＯ感度やホワイトバランスを挙げて説明をしたが、これに限らず、画像を白黒にしたり、色調を強調したりするような画像の効果をかけたりする編集画面にも適用可能である。また、動画や音声の編集画面や、各種設定画面にも適用可能である。
【０１２０】
また、上述した実施形態のいては、親項目群と子項目群とをＸ軸に沿って共に並べて表示し、親項目群から見てＹ軸方向に子項目群を表示することを説明した。ただし、親項目群と子項目群を表示する領域の位置関係は、これに限らず、親項目群の下に子項目群が表示されてもよいし、それぞれが交差しなければよい。
【０１２１】
また、操作手段として、メイン電子ダイヤル７１とサブ電子ダイヤル７２とを説明したが、これに限らず、タッチ操作やポインタでの入力等でもよい。タッチ操作の場合には、選択された子項目群のアイテムが選択中の親項目の位置までスクロールする。タッチ操作とダイヤル操作、マウス操作等複数の操作部材からの操作を受け付けてもよい。ない、タッチ操作の場合には、タッチの開始位置が親項目であったか、子項目であったかに応じて選択する項目が決まり、ダイヤルのように親階層と子階層とで操作部材が異なるわけではない。つまり、子項目群の項目へタッチダウンし、タッチを離すとその項目が選択され、同様に親項目群の項目へタッチダウンし、タッチを離すとその項目が選択される。子項目群の項目をタッチダウンした後に、タッチムーブして設定値表示座標まで移動することにより項目の選択をしてもよい。
【０１２２】
さらに、設定画面の背景に表示するものとしてはライブビュー画面の他に、文章や地図でもよい。文章を表示した場合には、文字の大きさ、種類、色、表示設定等の設定項目（親階層）から選択し、さらに文字の大きさであれば各大きさ（子階層）を選択するようにする。地図であれば、地名、店名、住所等の設定項目から選択をし、さらにガソリンスタンド、カフェ、寺等からユーザが所望の場所を選択する。
【０１２３】
なお、システム制御部５０が行うものとして説明した上述の各種の制御は１つのハードウェアが行ってもよいし、複数のハードウェアが処理を分担することで、装置全体の制御を行ってもよい。
【０１２４】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１２５】
また、上述した実施形態においては、本発明をデジタルカメラ１００に適用した場合を例にして説明したが、これはこの例に限定されず、アイテムの表示の制御ができるような電子機器であれば適用可能である。また、表示領域の大きさの異なる表示先に対してアイテムの表示の制御ができるような電子機器であれば適用可能である。すなわち、本発明は携帯電話端末や携帯型の画像ビューワ、ファインダーを備えるプリンタ装置、デジタルフォトフレーム、音楽プレーヤー、ゲーム機、投影装置、電子ブックリーダー、家電、表示面を備える装置などに適用可能である。
【０１２６】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
2019028803.tif 000003
【図２】
2019028803.tif 000004
【図３】
2019028803.tif 000005
【図４】
2019028803.tif 000006
【図５】
2019028803.tif 000007
【図６】
2019028803.tif 000008
【図７】
2019028803.tif 000009
【図８】
2019028803.tif 000010
【図９】
2019028803.tif 000011